(57)【要約】【課題】  本発明は、継続的な積雪時であっても通行の安全が確保されると共に、堅牢で長期的な設置・運用ができ、しかも、安価で外観の体裁もよい表示パネルと表示パネルに備えるカバー材を提供することにある。【解決手段】  複数のパネル構成部材を一列に係合して構成する表示パネルであって、連接するパネル構成部材１，２のいずれかの非表示面側に溝５を形成し、溝５の側壁対向位置に係止部１ｃ，１ｃを配設し、溝５内にはＴ型金具４またはＵバンド１８を固定するボルト６が保持されており、溝５には、溝底側でボルト頭部６ａが引掛かり且つ溝開口側でボルト６先部分を抜き出すボルト挿通孔８を備えるカバー材３を係止部１ｃに係止して嵌挿することによって、溝開口を塞いでいることを特徴とする。【選択図】      図３（ａ）（ｂ）
2010196252.tif 000002
【特許請求の範囲】
【請求項１】
複数のパネル構成部材を一列に係合して構成する表示パネルであって、
連接するパネル構成部材のいずれかの非表示面側に溝を形成し、溝の側壁対向位置に係止部を配設し、溝内にはＴ型金具またはＵバンドを固定するボルトが保持されており、溝には、溝底側でボルト頭部が引掛かり且つ溝開口側でボルト先部分を抜き出すボルト挿通孔を備えるカバー材を係止部に係止して嵌挿することによって、溝開口を塞いでいることを特徴とする表示パネル。
【請求項２】
パネル構成部材の非表示面側に設けてあるＴ型金具またはＵバンドを固定するボルトを保持する溝に挿入するものであり、溝の溝底側でボルト頭部を係止して溝開口側にボルト先端を抜き出すボルト挿通孔を有し、溝に挿入することにより溝開口を塞ぐものであることを特徴とする表示パネル用カバー材。
【請求項３】
カバー材は、溝に挿入して溝開口を塞いだときに、パネル構成部材の非表示面側をほぼフラットに形成することを特徴とする請求項１記載の表示パネル。
【発明の詳細な説明】
【技術分野】
【０００１】
本発明は、道路案内や店舗看板などに使用される表示パネルと、表示パネル用カバー材に関するものである。
【背景技術】
【０００２】
平板状のホロー材からなる複数のパネル構成部材を一列に連結して表示パネルを形成するものであり、そのときに、パネル構成部材のいずれかにほぼ凹状の溝が形成され、その溝にはＴ型金具やＵバンドなどを固定するためのボルトを保持するものであった。
【先行技術文献】
【特許文献】
【０００３】
【特許文献１】特開２００７−１６２３９８号公報
【特許文献２】特開２００４−６８４７１号公報
【発明の概要】
【発明が解決しようとする課題】
【０００４】
上記のような表示パネルでは、Ｔ型金具もしくはＵバンドを固定するための溝が露出することで、パネルの非表示面が凹凸面を形成する。これにより降雪地域等では、前述したパネル構成部材の溝に雪が入り込むことで、付着した雪が気温の低下により氷結して纏まった雪塊となり、表示パネル下を走行する車や通行人に雪塊が落下する危険性があった。また、表示パネルへの着雪を防ぐために、パネル上部に屋根材を取り付けたものがあったが、このような表示パネルでは、支柱上部の重量の増加に伴って支柱構造部を大幅に補強する必要があり、このことからコスト増加を招く問題点もあった。さらに、表示パネルの非表示面に溝があることで外観の体裁が悪く、例えば、観光地などの景観を重要視する場所に表示パネルを設置したときには美観を損ねる懸念もあり、これらの不都合を解消する表示パネルの登場が望まれていた。
【０００５】
本発明は以上に述べたような実情に鑑み、継続的な積雪時であっても通行の安全が確保されると共に、堅牢で長期的な設置・運用ができ、しかも、安価で外観の体裁もよい表示パネルと表示パネルに備えるカバー材を提供することにある。
【課題を解決するための手段】
【０００６】
本発明のうち請求項１記載の発明は、複数のパネル構成部材を一列に係合して構成する表示パネルであって、連接するパネル構成部材のいずれかの非表示面側に溝を形成し、溝の側壁対向位置に係止部を配設し、溝内にはＴ型金具またはＵバンドを固定するボルトが保持されており、溝には、溝底側でボルト頭部が引掛かり且つ溝開口側でボルト先部分を抜き出すボルト挿通孔を備えるカバー材を係止部に係止して嵌挿することによって、溝開口を塞いでいることを特徴とする。
【０００７】
本発明のうち請求項２記載の発明は、パネル構成部材の非表示面側に設けてあるＴ型金具またはＵバンドを固定するボルトを保持する溝に挿入するものであり、溝の溝底側でボルト頭部を係止して溝開口側にボルト先端を抜き出すボルト挿通孔を有し、溝に挿入することにより溝開口を塞ぐものであることを特徴とする。
【０００８】
本発明のうち請求項３記載の発明は、カバー材は、溝に挿入して溝開口を塞いだときに、パネル構成部材の非表示面側をほぼフラットに形成することを特徴とする。
【発明の効果】
【０００９】
本発明のうち請求項１および２記載の発明によれば、Ｔ型金具またはＵボルトを固定するボルトを保持する溝にカバー材を挿入することにより、表示パネルの非表示面側の溝による凹みが解消される。これにより、雪が降り続いても溝に入り込まずにそのまま滑落していくので、表示パネルの非表示面側でまとまった大きな雪塊を形成することがなく、結果、通行人の頭上の安全が確保できる。また、溝に雪が入り込まない構造であるから、金属腐食の不安もなく、長期的に安定した表示パネルの設置・運用が可能となる。さらに、カバー材のみを既設の表示パネルの溝に挿入して使用できることから、設置コストの抑制に寄与できる
【００１０】
本発明のうち請求項３記載の発明によれば、カバー材を挿入したときに表示パネルの非表面側を凹凸のないほぼフラットな状態にできるので、一層の着雪防止効果とパネル外観の向上を図ることができ、付加価値の高い表示パネルを提供できる。
【図面の簡単な説明】
【００１１】
【図１（ａ）（ｂ）】（ａ）本実施による表示パネルの全体を示す背面図であり、（ｂ）は、パネル構成部材同士の係合箇所を拡大して示す側面図である。
【図２（ａ）（ｂ）（ｃ）（ｄ）（ｅ）】（ａ）は、本実施によるカバー材の取付状態を示す一部を拡大した側面図であり、（ｂ）は、縦断面図であり、（ｃ）は、カバー材の側面図であり、（ｄ）は、正面図であり、（ｅ）は、平面図である。
【図３（ａ）（ｂ）】（ａ）は、本実施によるカバー材の施工状態を示す斜視図であり、（ｂ）は、カバー材のボルトを挿通した状態を示す一部を拡大した斜視図である。
【図４】本発明の表示パネルの他の実施形態の施工状態を示す背面視した斜視図である。
【発明を実施するための形態】
【００１２】
以下、本発明による表示パネルの実施形態を図面に基づいて説明する。
本実施による表示パネルは、図１（ａ）のように、横長矩形のパネル構成部材１，２を上下に複数係合して構成するもので、地面から起立する支柱１５上部から水平に突出した支持バー１６に取り付けてある。そして、パネル構成部材１，２の表示面はフラットに形成してあり、また、表示パネルの非表示面（背面側）は、支持バー１６に取り付けるＴ型金具４を固定するための溝５が複数形成される。
【００１３】
次に本実施によるパネル構成部材１，２のうち、上記の溝５を有するものについてのみ説明する。
パネル構成部材１は、表示面側に位置する一方側壁部１ａを、そして、非表示面側に位置する他方側壁部１ｂを平行に配置しており、一方側壁部１ａと他方側壁部１ｂの上下方向の両端部には、一方側壁部１ａと他方側壁部１ｂをつなぐように小口側壁部を各々設けてある。また、パネル構成部材１の非表示面側に設けてある溝５は、断面ほぼコ字型をなしており、図２（ａ）（ｂ）に示すように、両側溝壁（図中では上下の溝壁）の溝開口側には、内向きに対向して突出する係止部１ｃが設けてある。また、本実施によるパネル構成部材１，２同士の係合箇所については、図１（ｂ）のように、上下に連接して隣り合う一方および他方の両パネル構成部材１，２を係合したときに、両挿入孔形成溝２１ａ，２１ｂが上下に対面して合わさり、両パネル構成部材１，２間に略六角形状をなす棒材挿入孔２２を形成し、この棒材挿入孔２２に断面ほぼ円形状をなす棒材２３を挿入して互いの接合強度を高めるものである。
【００１４】
上記のパネル構成部材１の溝５に挿入するカバー材３は、図２（ａ）（ｂ）のように、その断面形状がほぼ十字状をなすように形成してある。具体的に、図２（ｃ）のように、溝５の溝側壁部（図中では上下の両溝壁）の内周面に各々が当接する係止突部３ｃ，３ｃと、溝５の溝開口側に露出する閉塞突部３ａと、溝５の溝底に当接するガイド突部３ｂとからなっている。また、図２（ｄ）（ｅ）のように、カバー材３の長手方向に沿って間隔をあけて複数のボルト挿通孔８が設けてあり、カバー材３を溝５に挿入する前の段階で、図３（ｂ）のように、ボルト挿通孔８にＴ型金具４を取り付けるボルト６を挿通することで、カバー材３がボルト６の挿通により溝５内で位置決めされ、カバー材３が溝５から抜け落ちない構造となる。また、カバー材３のボルト挿通孔８の孔同士の間隔とＴ型金具４のボルト挿通孔９の孔同士の間隔は一致しており、カバー材３を溝５に挿通したパネル構成部材１にＴ型金具４を沿わせたときに、互いのボルト挿通孔８，９同士が一致するようになっている。
尚、符号１０は、パネル構成部材１，２とナットとの緩衝材である。
【００１５】
このように形成したカバー材３は、図３（ａ）のように、パネル構成部材１の溝５に挿入したとき、カバー材３におけるガイド突部３ｂが溝５の溝底に摺動しながら挿入されていき、カバー材３の両側にある係止突部３ｃ，３ｃが溝５の溝開口側にある各係止部１ｃ，１ｃの内周側にそれぞれ係止される。また、カバー材３の閉塞突部３ａは、両係止部１ｃ，１ｃの間に介在し、これにより、カバー材３を溝５に挿入することでパネル構成部材１の非表示面側がほぼフラットな状態となり、表示パネルの外観が良好なものとなる。
【００１６】
また、図４は、パネル構成部材１と支柱１５との取り付けにＵバンド１７を用いる態様の表示パネルである。
本実施のものでは、前述したＴ型金具４のものと同様に、Ｕバンド１７の両端１７ａ，１７ａにボルト挿通孔１８が設けてあり、そのボルト挿通孔１８にカバー材３に挿通したボルト６の先端を通し、さらに、ボルト６の先端にかけたナット７を締め付けることで、Ｕバンド１７によるパネル構成部材１と支柱１５との取り付けを果たしている。
【００１７】
上記各実施形態で説明したカバー材３は、パネル構成部材１の溝５の溝開口側を閉塞して非表示面側をほぼフラットな状態にするものであれば、その形状については特に限定するものではない。また、カバー材３のガイド突部３ｂは、パネル構成部材１の溝５の溝底に当接して挿入を案内するものであれば、数や大きさは特に限定するものではない。また、本発明の表示パネルは、本実施形態で例示した道路標識の他に、例えば、店舗看板や案内標識等にも適用できる。さらに、本実施によるカバー材３は、上記実施形態によるパネル構成部材１，２以外のＴ型金具４を固定するための溝５を有する表示パネルにおいても適用できる。
【符号の説明】
【００１８】
１  パネル構成部材（溝ありのもの）
１ｃ  係止部
２  パネル構成部材（溝なしのもの）
３  カバー材
４  Ｔ型金具
５  溝
６  ボルト
６ａ  ボルト頭部
７  ナット
８  ボルト挿通孔
１７  Ｕバンド
【図１（ａ）（ｂ）】
2010196252.tif 000003
【図２（ａ）（ｂ）（ｃ）（ｄ）（ｅ）】
2010196252.tif 000004
【図３（ａ）（ｂ）】
2010196252.tif 000005
【図４】
2010196252.tif 000006